(57)【要約】【課題】竪樋が熱伸縮した場合でも雨水を確実に排出することができる雨樋構造を提供する。【解決手段】軒先１２に設けられた軒樋１４内の雨水を排水管１５に案内するための竪樋１６の下端部１６ｂと、該下端部から流出する雨水を受け且つ受けた雨水により竪樋１６の下端部１６ｂを封鎖するための水封部材２６とを接続手段２９により互いに接続する。【選択図】図１
2008291504.tif 000002
【特許請求の範囲】
【請求項１】
軒先に設けられた軒樋内の雨水を該軒樋の下方に案内するための竪樋と、前記竪樋の下端部から流出する雨水を受け且つ受けた該雨水により前記竪樋の前記下端部を封鎖するための水封部材とを備え、前記竪樋と前記水封部材との間には、該水封部材を前記竪樋の前記下端部に接続する接続手段が設けられていることを特徴とする雨樋構造。
【請求項２】
前記水封部材は、底壁と該底壁の縁部から立ち上がる筒状の周壁とを有し、前記接続手段は、両端が開放し、一端部に前記竪樋の前記下端部が嵌合される筒体であってその外周面が前記水封部材の前記周壁の内周面に間隔をおき且つ他端の位置が前記水封部材内の最高水位よりも低くなるように前記水封部材内に挿入された筒体と、該筒体と前記水封部材との間の隙間を塞ぐことなく前記筒体を前記水封部材に連結する連結部材とを有することを特徴とする請求項１に記載の雨樋構造。
【請求項３】
前記竪樋の前記下端部における外周面には雄ねじ部が形成され、又は、前記竪樋の前記下端部には外周面に雄ねじ部が形成された筒状の接続部材が嵌合されており、前記筒体の前記一端部における内周面には、前記竪樋に形成された前記雄ねじ部又は前記接続部材に形成された前記雄ねじ部に螺合可能な雌ねじ部が形成されており、前記雌ねじ部及び前記雄ねじ部が互いに螺合することにより、前記水封部材が前記筒体及び前記連結部材を介して前記竪樋の前記下端部に接続されることを特徴とする請求項２に記載の雨樋構造。
【請求項４】
前記水封部材は、底壁と該底壁の縁部から立ち上がる筒状の周壁とを有し、該周壁には、前記竪樋から前記水封部材内に流入した雨水を該水封部材の外方に流出させるための流出孔が形成されており、前記接続手段は、前記水封部材の周壁の上端部に形成され、前記竪樋の前記下端部が嵌合する嵌合部を有することを特徴とする請求項１に記載の雨樋構造。
【請求項５】
前記竪樋の前記下端部における外周面には雄ねじ部が形成され、又は、前記竪樋の前記下端部には外周面に雄ねじ部が形成された筒状の接続部材が嵌合されており、前記水封部材の前記嵌合部における内周面には、前記竪樋に形成された前記雄ねじ部又は前記接続部材に形成された前記雄ねじ部に螺合可能な雌ねじ部が形成されており、前記雌ねじ部及び前記雄ねじ部が互いに螺合することにより、前記水封部材が前記竪樋の前記下端部に接続されることを特徴とする請求項４に記載の雨樋構造。
【発明の詳細な説明】
【技術分野】
【０００１】
本発明は、住宅のような建物に設けられるサイフォン式の雨樋構造に関する。
【背景技術】
【０００２】
一般的に、例えば住宅の軒先には、屋根から流れ落ちる雨水を受けるための軒樋が設けられている。軒樋内に流入した雨水は、軒樋内から竪樋内に流入し、竪樋内を通って地中に埋設されている排水管に流入する。これにより、屋根から流れ落ちる雨水を飛び散らせることなく排水管に確実に案内することができる。
【０００３】
従来、排水管への単位時間当たりの排水量を増加させるために、いわゆるサイフォンの原理を利用した雨樋構造が知られている（例えば、特許文献１参照。）。
【０００４】
この雨樋構造では、竪樋の下端部を受け入れる筒状の排水管カバーが排水管に設けられており、排水管カバー内には、竪樋の下端部から流出される雨水を受ける水封部材が排水管カバーとの間に隙間が形成されるように配置されている。水封部材は、排水管カバーとの間の隙間が保持された状態で排水管カバーに固定されている。竪樋の下端部は、その流出口の位置が水封部材内の雨水の最高水位よりも低くなるように、水封部材内に挿入されている。竪樋の流出口から水封部材内に流入した雨水は、水封部材内から溢れ出した後、水封部材と排水管カバーとの間を通って排水管カバー内から排水管内に排出される。
【０００５】
水封部材内の水位が竪樋の流出口の位置に達した状態では、竪樋の流出口が水封部材内の雨水により封鎖される。これにより、軒樋から竪樋内に大量の雨水が流入したとき、雨水は竪樋内に溜まる。竪樋内に溜まった雨水から水封部材内の雨水に作用する圧力が水封部材内の雨水から竪樋内の雨水に作用する圧力よりも大きくなる水位に竪樋内の雨水の水位が達したとき、竪樋内に溜まった雨水はその自重により竪樋内を水封部材内に向けて落下する。このようなサイフォン現象が生じることにより、軒樋内の雨水を、自然落下するときの流速よりも速い流速で竪樋内を流下させることができるので、雨水を自然落下させることにより排水管に排出する場合に比べて、単位時間当たりの排水量を増加させることができる。
【特許文献１】特開２００５−３３０６６６号公報
【発明の開示】
【発明が解決しようとする課題】
【０００６】
しかしながら、竪樋の下端部は水封部材にそれと一体的に固定されることなく該水封部材内に単にあそびをもって挿入されていることから、竪樋が例えばポリ塩化ビニルのように熱伸縮性を有する合成樹脂材料からなる場合、例えば気温の変動によって竪樋がその軸線方向に熱伸縮することにより下端部の位置が変化したとき、竪樋と水封部材との相対位置が変化する。
【０００７】
このため、竪樋の熱伸長による相対変位によって竪樋の下端部の端面が水封部材の底面に当接したとき、竪樋の下端部の流出口が水封部材の底面によって塞がれる虞がある。
【０００８】
竪樋の流出口が塞がれると、竪樋内から水封部材内に雨水を流出させることができないため、軒樋から竪樋内に流入した雨水を排水管に排出することができず、軒樋に流入した雨水は該軒樋から溢れ出てしまう。
【０００９】
そこで、本発明の目的は、竪樋が熱伸縮した場合でも雨水を確実に排出することができる雨樋構造を提供することにある。
【課題を解決するための手段】
【００１０】
上記課題を解決するために、請求項１に記載の発明は、軒先に設けられた軒樋内の雨水を該軒樋の下方に案内するための竪樋と、前記竪樋の下端部から流出する雨水を受け且つ受けた該雨水により前記竪樋の前記下端部を封鎖するための水封部材とを備え、前記竪樋と前記水封部材との間には、該水封部材を前記竪樋の前記下端部に接続する接続手段が設けられていることを特徴とする。
【００１１】
請求項２に記載の発明は、請求項１に記載の発明において、前記水封部材は、底壁と該底壁の縁部から立ち上がる筒状の周壁とを有し、前記接続手段は、両端が開放し、一端部に前記竪樋の前記下端部が嵌合される筒体であってその外周面が前記水封部材の前記周壁の内周面に間隔をおき且つ他端の位置が前記水封部材内の最高水位よりも低くなるように前記水封部材内に挿入された筒体と、該筒体と前記水封部材との間の隙間を塞ぐことなく前記筒体を前記水封部材に連結する連結部材とを有することを特徴とする。
【００１２】
請求項３に記載の発明は、請求項２に記載の発明において、前記竪樋の前記下端部における外周面には雄ねじ部が形成され、又は、前記竪樋の前記下端部には外周面に雄ねじ部が形成された筒状の接続部材が嵌合されており、前記筒体の前記一端部における内周面には、前記竪樋に形成された前記雄ねじ部又は前記接続部材に形成された前記雄ねじ部に螺合可能な雌ねじ部が形成されており、前記雌ねじ部及び前記雄ねじ部が互いに螺合することにより、前記水封部材が前記筒体及び前記連結部材を介して前記竪樋の前記下端部に接続されることを特徴とする。
【００１３】
請求項４に記載の発明は、請求項１に記載の発明において、前記水封部材は、底壁と該底壁の縁部から立ち上がる筒状の周壁とを有し、該周壁には、前記竪樋から前記水封部材内に流入した雨水を該水封部材の外方に流出させるための流出孔が形成されており、前記接続手段は、前記水封部材の周壁の上端部に形成され、前記竪樋の前記下端部が嵌合する嵌合部を有することを特徴とする。
【００１４】
請求項５に記載の発明は、請求項４に記載の発明において、前記竪樋の前記下端部における外周面には雄ねじ部が形成され、又は、前記竪樋の前記下端部には外周面に雄ねじ部が形成された筒状の接続部材が嵌合されており、前記水封部材の前記嵌合部における内周面には、前記竪樋に形成された前記雄ねじ部又は前記接続部材に形成された前記雄ねじ部に螺合可能な雌ねじ部が形成されており、前記雌ねじ部及び前記雄ねじ部が互いに螺合することにより、前記水封部材が前記竪樋の前記下端部に接続されることを特徴とする。
【発明の効果】
【００１５】
請求項１に記載の発明によれば、水封部材は、竪樋の下端部から流出する雨水を受け且つ受けた該雨水により竪樋の下端部を封鎖することから、竪樋の下端部を水封部材内の雨水により封鎖することにより、軒樋から竪樋に大量の雨水が流入したとき、従来と同様なサイフォン現象を生じさせることができる。これにより、軒樋内の雨水を、自然落下するときの流速よりも速い流速で竪樋内を流下させることができるので、雨水を自然落下させることにより排水管に排出する場合に比べて、単位時間当たりの排水量を確実に増加させることができる。
【００１６】
また、水封部材が接続手段を介して竪樋の下端部に接続されていることから、竪樋が例えばポリ塩化ビニルのように熱伸縮性を有する合成樹脂材料からなる場合に、例えば気温の変動により竪樋がその軸線方向に熱伸縮することにより下端部の位置が変化したとき、水封部材は竪樋と一体的に移動する。
【００１７】
これにより、竪樋の伸縮時に竪樋と水封部材との相対位置が変化することはないことから、竪樋の熱伸長時に竪樋の下端部の端面が水封部材の底面に当接することはないので、竪樋の下端部の流出口が水封部材の底面によって塞がれることはない。
【００１８】
従って、竪樋が熱伸縮した場合でも、軒樋から竪樋内に流入した雨水を竪樋から排水管に水封部材を介して確実に排出することができる。
【００１９】
請求項２に記載の発明によれば、水封部材に連結部材を介して連結された筒体の一端部に竪樋の下端部を嵌合することにより、筒体及び連結部材を介して水封部材を竪樋の下端部に接続することができる。
【００２０】
また、筒体は、その外周面が水封部材の周壁の内周面に間隔をおき且つ他端の位置が水封部材内の最高水位よりも低くなるように水封部材内に挿入されており、連結部材は、筒体と水封部材との間の隙間を塞ぐことなく筒体を水封部材に連結する。
【００２１】
これにより、竪樋の下端部から筒体内を経て水封部材内に流入した雨水は、水封部材内に溜まり、雨水の水位が水封部材内の最高水位を超えたとき、筒体と水封部材との間を経て水封部材内からその外方に溢流させることができる。
【００２２】
また、水封部材内の水位が筒体の下端の位置以上の位置に上昇した状態では、筒体の下端の開口が水封部材内の雨水により封鎖される。
【００２３】
このとき、水封部材内への雨水の単位時間当たりの流入量が水封部材内から溢流する雨水の単位時間当たりの流出量と等しい場合、筒体から水封部材内に流入した雨水は、筒体及び竪樋を満水状態にすることなく水封部材内からその外方に流出する。
【００２４】
他方、軒樋から竪樋に大量の雨水が流入したときのように、水封部材への雨水の単位時間当たりの流入量が水封部材内からの雨水の単位時間当たりの流出量よりも多い場合、筒体から水封部材内に流入した雨水の大部分は、水封部材内から溢流することなく筒体及び竪樋内に溜まる。これにより、筒体及び竪樋内に溜まった雨水から水封部材内の雨水に作用する圧力が水封部材内の雨水から筒体及び竪樋内の雨水に作用する圧力よりも大きくなる水位に竪樋内の雨水の水位が達したとき、筒体及び竪樋内に溜まった雨水をその自重により竪樋及び筒体内を水封部材内に向けて落下させることができる。
【００２５】
請求項３に記載の発明によれば、水封部材は、筒体の一端部における内周面に形成された雌ねじ部が竪樋の下端部における外周面に形成された雄ねじ部に螺合することにより、筒体及び連結部材を介して竪樋の下端部に接続される。
【００２６】
これにより、雌ねじ部及び雄ねじ部を互いに螺合させることにより水封部材を竪樋の下端部に容易に接続することができ、また、雌ねじ部及び雄ねじ部の相互の螺合を解除することにより、竪樋の下端部への水封部材の接続を容易に解除することができる。
【００２７】
従って、水封部材は竪樋の下端部に取り外し可能に接続されることから、水封部材を竪樋から取り外すことにより、水封部材内に詰まった落ち葉やゴミ等を水封部材内から容易に除去することができる。
【００２８】
請求項４に記載の発明によれば、水封部材は、底壁と該底壁の縁部から立ち上がる筒状の周壁とを有し、接続手段は、水封部材の周壁の上端部に形成され、竪樋の下端部が嵌合する嵌合部を有することから、竪樋の下端部を嵌合部に嵌合することにより、水封部材を竪樋の下端部に接続することができる。
【００２９】
また、水封部材の周壁には、竪樋から水封部材内に流入した雨水を該水封部材の外方に流出させるための流出孔が形成されている。
【００３０】
これにより、水封部材内への雨水の単位時間当たりの流入量が水封部材内から流出孔を経ての雨水の単位時間当たりの流出量と等しい場合、竪樋から水封部材内に流入した雨水は、水封部材及び竪樋内を満水状態にすることなく流入孔を経て水封部材の外方に流出する。
【００３１】
他方、軒樋から竪樋に大量の雨水が流入したときのように、水封部材内への雨水の単位時間当たりの流入量が水封部材内から流出孔を経ての雨水の単位時間当たりの流出量よりも多い場合、竪樋から水封部材内に流入した雨水の大部分は、流入孔を経て流出されず水封部材及び竪樋内に溜まる。これにより、竪樋内に溜まった雨水から水封部材内の雨水に作用する圧力が水封部材内の雨水から竪樋内の雨水に作用する圧力よりも大きくなる水位に竪樋内の雨水の水位が達したとき、竪樋内に溜まった雨水をその自重により竪樋内を水封部材内に向けて落下させることができる。
【００３２】
請求項５に記載の発明によれば、水封部材は、その嵌合部における内周面に形成された雌ねじ部が竪樋の下端部における外周面に形成された雄ねじ部に螺合することにより、竪樋の前記下端部に接続される。
【００３３】
これにより、雌ねじ部及び雄ねじ部を互いに螺合させることにより水封部材を竪樋の下端部に容易に接続することができ、また、雌ねじ部及び雄ねじ部の相互の螺合を解除することにより、竪樋の下端部への水封部材の接続を容易に解除することができる。
【００３４】
従って、水封部材は竪樋の下端部に取り外し可能に接続されることから、水封部材を竪樋から取り外すことにより、水封部材内に詰まった落ち葉やゴミ等を水封部材内から容易に除去することができる。
【発明を実施するための最良の形態】
【００３５】
本発明を図示の実施例に沿って説明する。
【実施例】
【００３６】
本発明に係る雨樋構造１０は、図１に示すように、住宅１１の軒先１２に沿って設けられ、屋根１３から流れ落ちる雨水を受ける軒樋１４と、雨水を地中に埋設された排水管１５に案内するための竪樋１６とを備える。
【００３７】
竪樋１６は、例えばポリ塩化ビニルのように熱伸縮性を有する樹脂材料で成形された長尺状の筒部材からなり、住宅１１の外壁１１ａに沿って上下方向に伸びるように配置されている。竪樋１６の上端部１６ａは、図示の例では、従来と同様に、一端部１９ａがＬ字状のエルボ継手１７及び排水ドレン１８を順次介して軒樋１４に接続された呼び樋１９の他端部１９ｂにエルボ継手２０を介して接続されている。これにより、竪樋１６の上端部１６ａは、各エルボ継手１７，２０、呼び樋１９及び排水ドレン１８を介して軒樋１４に接続されている。竪樋１６の下端部１６ｂは、排水管１５に設けられた排水管カバー２１を介して排水管１５に接続されている。
【００３８】
排水管１５は、雨水の流入を受ける流入端部１５ａが上方へ開放するように、竪樋１６の下方で地中に埋設されている。
【００３９】
排水管カバー２１は、竪樋１６の下端部１６ｂを受け入れるカバー本体２２と、該カバー本体に装着される蓋部材２３とを有する。
【００４０】
カバー本体２２は、両端が開放した円筒部材からなり、その一端部に排水管１５の流入端部１５ａが嵌合される嵌合端部２２ａを有し、他端部に竪樋１６の下端部１６ｂを受け入れる受入端部２２ｂを有する。
【００４１】
蓋部材２３は、カバー本体２２の受入端部２２ｂの開口を覆う板状の被覆部２４と、該被覆部の縁部２４ａから下方へ伸びカバー本体２２の受入端部２２ｂに嵌合する嵌合部２４ｂとを有する。被覆部２４のほぼ中央には、竪樋１６があそびをもって挿通される挿通孔２５が形成されている。蓋部材２３は、嵌合部２４ｂがカバー本体２２の受入端部２２ｂに嵌合することによりカバー本体２２に装着される。
【００４２】
竪樋１６は、その下端部１６ｂが被覆部２４の挿通孔２５を経てカバー本体２２内に挿入されることにより、排水管１５に排水管カバー２１を介して該排水管カバーに対して相対移動可能に接続される。カバー本体２２内への竪樋１６の挿入量は、例えば気温の変化により竪樋１６がその軸線方向に熱伸縮したときにカバー本体２２内での竪樋１６の伸縮変形が許容される大きさに設定されている。これにより、竪樋１６の熱伸縮時に竪樋１６がカバー本体２２内から抜け出すことが防止される。また、挿通孔２５が被覆部２４のほぼ中央に形成されていることから、竪樋１６の下端部１６ｂが挿通孔２５を経てカバー本体２２内に挿入された状態では、竪樋１６の軸線とカバー本体２２の軸線とが互いにほぼ一致する。
【００４３】
更に、本発明に係る雨樋構造１０は、竪樋１６の下端部１６ｂから流出する雨水を受け且つ受けた該雨水により竪樋１６の下端部１６ｂを封鎖するための水封部材２６を備える。
【００４４】
水封部材２６は、図２に示すように、底壁２７と該底壁の縁部２７ａから立ち上がる円筒状の周壁２８とを有し、上方へ開放する。水封部材２６の周壁２８の外径は、カバー本体２２の内径よりも小さくなるように設定されている。
【００４５】
竪樋１６と水封部材２６との間には、該水封部材２６を竪樋１６の下端部１６ｂに接続する接続手段２９が設けられている。接続手段２９は、図２に示す例では、水封部材２６内に挿入された筒体３０と、該筒体を水封部材２６に連結する連結部材３１とを有する。
【００４６】
筒体３０は、両端が開放した円筒状をなしており、その一端部に竪樋１６の下端部１６ｂが嵌合される嵌合端部３０ａを有する。筒体３０は、その軸線が水封部材２６の軸線にほぼ一致し、且つ、筒体３０の他端部である下端部３０ｂの端面３０ｃの位置が水封部材２６の底壁２７の上面すなわち水封部材２６の底面２７ｂと水封部材２６内の最高水位を規定する位置すなわち水封部材２６の開口３２の縁部３２ａとの間に位置するように、水封部材２６内に挿入されている。また、筒体３０の外径は、水封部材２６の内径よりも小さくなるように設定されている。
【００４７】
これにより、筒体３０が水封部材２６内に挿入された状態では、筒体３０の下端部３０ｂの端面３０ｃと水封部材２６の底面２７ｂとの間、及び、筒体３０の外周面３０ｄと水封部材２６の周壁２８の内周面２８ａとの間に、それぞれ全面に亘って隙間が形成される。
【００４８】
連結部材３１は、図示の例では、複数の棒状部材３３で構成されている。各棒状部材３３の一端３３ａはそれぞれ水封部材２６の開口３２の縁部３２ａに固定されており、各棒状部材３３の他端３３ｂはそれぞれ筒体３０の嵌合端部３０ａに固定されている。また、各棒状部材３３は、それぞれ筒体３０及び水封部材２６の周方向に所定の間隔をおいて配置されている。これにより、筒体３０及び水封部材２６は、筒体３０の外周面３０ｄと水封部材２６の周壁２８の内周面２８ａとの間の隙間が連結部材３１により塞がれることなく、該連結部材を介して互いに連結されている。
【００４９】
図示の例では、筒体３０の嵌合端部３０ａにおける内周面３０ｅには、筒体３０の周方向に沿ってねじ切りされた雌ねじ部３４が形成されている。また、竪樋１６の下端部１６ｂにおける外周面１６ｃには、竪樋１６の周方向に沿ってねじ切りされ雌ねじ部３４に螺合可能な雄ねじ部３５が形成されている。雌ねじ部３４及び雄ねじ部３５が互いに螺合することにより、竪樋１６の下端部１６ｂが筒体３０に接続され、これにより、竪樋１６の下端部１６ｂと水封部材２６とが筒体３０及び連結部材３１を介して互いに接続される。
【００５０】
水封部材２６は、接続手段２９を介して竪樋１６の下端部１６ｂに接続された状態でカバー本体２２内に配置される。このとき、前記したように、竪樋１６とカバー本体２２とが互いにほぼ同軸上に位置しており、竪樋１６、筒体３０及び水封部材２６がそれぞれほぼ同軸上に位置しており、更に、水封部材２６の周壁２８の外径がカバー本体２２の内径よりも小さいことから、水封部材２６がカバー本体２２内に配置された状態では、水封部材２６の周壁２８の外周面２８ｂとカバー本体２２の内周面２２ｃとの間には、図１に示すように、全面に亘って隙間が形成される。
【００５１】
軒樋１４内から排水ドレン１８、呼び樋１９及び各エルボ継手１７，２０を経て竪樋１６内に流入した雨水は、該竪樋内を通って該竪樋の下端部１６ｂから筒体３０内に流入し、該筒体内から水封部材２６内に流入する。水封部材２６内に流入した雨水は、筒体３０の下端部３０ｂの端面３０ｃと水封部材２６の底面２７ｂとの間及び筒体３０の外周面３０ｄと水封部材２６の周壁２８の内周面２８ａとの間に溜まり、水封部材２６の開口３２及び各棒状部材３３間を経て水封部材２６内から溢れ出す。水封部材２６内から溢流した雨水は、水封部材２６の周壁２８の外周面２８ｂとカバー本体２２の内周面２２ｃとの間の隙間を流下した後、カバー本体２２の嵌合端部２２ａ及び排水管１５の流入端部１５ａを経て排水管カバー２１内から排水管１５内に排出される。
【００５２】
また、水封部材２６内の水位が筒体３０の下端部３０ｂの端面３０ｃの位置以上の位置に上昇した状態では、筒体３０の下端部３０ｂの開口３０ｆ（図２参照。）が水封部材２６内の雨水により封鎖される。
【００５３】
このとき、軒樋１４から竪樋１６に大量の雨水が流入したときのように、水封部材２６への雨水の単位時間当たりの流入量が水封部材２６内からの雨水の単位時間当たりの流出量よりも多い場合、筒体３０から水封部材２６内に流入した雨水の大部分は、水封部材２６内から溢流することなく筒体３０及び竪樋１６内に溜まる。これにより、筒体３０及び竪樋１６内に溜まった雨水から水封部材２６内の雨水に作用する圧力が水封部材２６内の雨水から筒体３０及び竪樋１６内の雨水に作用する圧力よりも大きくなる水位に竪樋１６内の雨水の水位が達したとき、筒体３０及び竪樋１６内に溜まった雨水はその自重により竪樋１６及び筒体３０内を落下する。このような所謂サイフォン現象が生じることにより、軒樋１４内の雨水は、自然落下するときの流速よりも速い流速で竪樋１６内を流下する。
【００５４】
本実施例によれば、前記したように、竪樋１６の下端部１６ｂを水封部材２６内の雨水により封鎖することによってサイフォン現象を生じさせることにより、軒樋１４内の雨水を、自然落下するときの流速よりも速い流速で竪樋１６内を流下させることができるので、雨水を自然落下させることにより排水管１５に排出する場合に比べて、単位時間当たりの排水量を確実に増加させることができる。
【００５５】
また、水封部材２６が接続手段２９を介して竪樋１６の下端部１６ｂに接続されていることから、例えば気温の変動により竪樋１６がその軸線方向に熱伸縮することにより下端部１６ｂの位置が変化したとき、水封部材２６は竪樋１６と一体的に移動する。
【００５６】
これにより、竪樋１６の伸縮時に竪樋１６と水封部材２６との相対位置が変化することはないことから、竪樋１６の熱伸長時に竪樋１６の下端部１６ｂの端面１６ｅ（図２参照。）が水封部材２６の底面２７ｂに当接することはないので、竪樋１６の下端部１６ｂの開口１６ｄ（図２参照。）が水封部材２６の底面２７ｂによって塞がれることはない。
【００５７】
従って、竪樋１６が熱伸縮した場合でも、軒樋１４から竪樋１６内に流入した雨水を竪樋１６から排水管１５に水封部材２６を介して確実に排出することができる。
【００５８】
また、前記したように、水封部材２６は、筒体３０の嵌合端部３０ａにおける内周面３０ｅに形成された雌ねじ部３４が竪樋１６の下端部１６ｂにおける外周面１６ｃに形成された雄ねじ部３５に螺合することにより、筒体３０及び連結部材３１を介して竪樋１６の下端部１６ｂに接続される。
【００５９】
これにより、雌ねじ部３４及び雄ねじ部３５を互いに螺合させることにより水封部材２６を竪樋１６の下端部１６ｂに容易に接続することができ、また、雌ねじ部３４及び雄ねじ部３５の相互の螺合を解除することにより、竪樋１６の下端部１６ｂへの水封部材２６の接続を容易に解除することができる。
【００６０】
従って、水封部材２６は竪樋１６の下端部１６ｂに取り外し可能に接続されることから、水封部材２６を竪樋１６から取り外すことにより、水封部材２６内に詰まった落ち葉やゴミ等を水封部材２６内から容易に除去することができる。
【００６１】
本実施例では、筒体３０の嵌合端部３０ａにおける内周面３０ｅに雌ねじ部３４が形成され、竪樋１６の下端部１６ｂにおける外周面１６ｃに雌ねじ部３４に螺合可能な雄ねじ部３５が形成され、雌ねじ部３４及び雄ねじ部３５が互いに螺合することにより竪樋１６の下端部１６ｂが筒体３０に接続される例を示したが、これに代えて、図示しないが、例えば筒体３０の雌ねじ部３４に螺合可能な雄ねじ部が外周面に形成された筒状の接続部材を竪樋１６の下端部１６ｂに嵌合し、前記接続部材の前記雄ねじ部を筒体３０の雌ねじ部３４に螺合することにより竪樋１６の下端部１６ｂを前記接続部材を介して筒体３０に接続することができる。
【００６２】
この場合、例えば、筒体３０の横断面が円形をなし、竪樋１６の横断面が矩形状のように円形以外の形状をなしている場合でも、竪樋１６の下端部１６ｂに嵌合される部分の横断面形状が竪樋１６の横断面形状と同様の形状になり且つ前記雄ねじ部が形成された部分の横断面形状が円形になるように前記接続部材を形成することにより、横断面形状が互いに異なる竪樋１６と筒体３０とを互いに前記接続部材を用いて接続することができる。
【００６３】
また、本実施例では、水封部材２６を竪樋１６の下端部１６ｂに接続する接続手段２９が、水封部材２６内に挿入された筒体３０と、筒体３０を水封部材２６に連結する連結部材３１とを有する例を示したが、これに代えて、図３に示すような接続手段３６を本発明に適用することができる。
【００６４】
図３に示す例では、接続手段３６は、水封部材２６の周壁２８の上端部２８ｃに形成され、竪樋１６の下端部１６ｂが嵌合する嵌合部３７を有する。
【００６５】
また、図示の例では、水封部材２６の周壁２８の外径及び内径は、それぞれ竪樋１６の外径及び内径とほぼ等しい。周壁２８には、竪樋１６から水封部材２６内に流入した雨水を該水封部材の外方に流出させるための複数の流出孔３８が形成されている。各流出孔３８は、図示の例では、それぞれ周壁２８の周方向に所定の間隔をおき且つ周壁２８の軸線方向に互いに所定の間隔をおいて周壁２８に形成されている。
【００６６】
更に、図示の例では、水封部材２６の嵌合部３７における内周面２８ａには、水封部材２６の周方向に沿ってねじ切りされた雌ねじ部３９が形成されている。また、竪樋１６の下端部１６ｂにおける外周面１６ｃには、竪樋１６の周方向に沿ってねじ切りされ雌ねじ部３９に螺合可能な雄ねじ部４０が形成されている。雌ねじ部３９及び雄ねじ部４０が互いに螺合することにより、竪樋１６の下端部１６ｂが水封部材２６に接続される。
【００６７】
軒樋１４内から排水ドレン１８、呼び樋１９及び各エルボ継手１７，２０を経て竪樋１６内に流入した雨水は、該竪樋内を通って該竪樋の下端部１６ｂから水封部材２６内に流入する。
【００６８】
水封部材２６内への雨水の単位時間当たりの流入量が水封部材２６内から全ての流出孔３８を経ての雨水の単位時間当たりの流出量と等しい場合、竪樋１６から水封部材２６内に流入した雨水は、水封部材２６及び竪樋１６内を満水状態にすることなく水封部材２６内の雨水の水位に応じた位置に配置された各流入孔３８を経て水封部材２６の外方に流出する。
【００６９】
他方、軒樋１４から竪樋１６に大量の雨水が流入したときのように、水封部材２６内への雨水の単位時間当たりの流入量が水封部材２６内から全ての流出孔３８を経ての雨水の単位時間当たりの流出量よりも多い場合、竪樋１６から水封部材２６内に流入した雨水の大部分は、各流入孔３８を経て流出されず水封部材２６内に溜まる。これにより、水封部材２６内が満水状態におかれる。すなわち、竪樋１６の下端部１６ｂの開口１６ｄ（図３参照。）が水封部材２６内の雨水により封鎖される。これにより、竪樋１６内に雨水が溜まり、竪樋１６内に溜まった雨水から水封部材２６内の雨水に作用する圧力が水封部材２６内の雨水から竪樋１６内の雨水に作用する圧力よりも大きくなる水位に竪樋１６内の雨水の水位が達したとき、竪樋１６内に溜まった雨水はその自重により竪樋１６内を水封部材２６内に向けて落下する。
【００７０】
従って、このようなサイフォン現象を生じさせることにより、軒樋１４内の雨水を、自然落下するときの流速よりも速い流速で竪樋１６内を流下させることができるので、雨水を自然落下させることにより排水管１５に排出する場合に比べて、単位時間当たりの排水量を確実に増加させることができる。
【００７１】
また、前記したように、水封部材２６が接続手段２９である嵌合部３７を介して竪樋１６の下端部１６ｂに接続されていることから、例えば気温の変動により竪樋１６がその軸線方向に熱伸縮することにより下端部１６ｂの位置が変化したとき、水封部材２６は竪樋１６と一体的に移動する。
【００７２】
これにより、竪樋１６の伸縮時に竪樋１６と水封部材２６との相対位置が変化することはないことから、竪樋１６の熱伸長時に竪樋１６の下端部１６ｂの端面１６ｅ（図３参照。）が水封部材２６の底面２７ｂに当接することはないので、竪樋１６の下端部１６ｂの開口１６ｄが水封部材２６の底面２７ｂによって塞がれることはない。
【００７３】
従って、竪樋１６が熱伸縮した場合でも、軒樋１４から竪樋１６内に流入した雨水を竪樋１６から排水管１５に水封部材２６を介して確実に排出することができる。
【００７４】
更に、水封部材２６は、嵌合部３７における内周面２８ａに形成された雌ねじ部３４が竪樋１６の下端部１６ｂにおける外周面１６ｃに形成された雄ねじ部３５に螺合することにより、竪樋１６の下端部１６ｂに接続されることから、雌ねじ部３４及び雄ねじ部３５を互いに螺合させることにより水封部材２６を竪樋１６の下端部１６ｂに容易に接続することができ、また、雌ねじ部３４及び雄ねじ部３５の相互の螺合を解除することにより、竪樋１６の下端部１６ｂへの水封部材２６の接続を容易に解除することができる。
【００７５】
従って、水封部材２６は竪樋１６の下端部１６ｂに取り外し可能に接続されることから、水封部材２６を竪樋１６から取り外すことにより、水封部材２６内に詰まった落ち葉やゴミ等を水封部材２６内から容易に除去することができる。
【００７６】
図３に示す例では、水封部材２６の嵌合部３７における内周面２８ａに雌ねじ部３９が形成され、竪樋１６の下端部１６ｂにおける外周面１６ｃに雌ねじ部３９に螺合可能な雄ねじ部４０が形成されており、雌ねじ部３９及び雄ねじ部４０が互いに螺合することにより竪樋１６の下端部１６ｂが水封部材２６に接続される例を示したが、これに代えて、図示しないが、例えば水封部材２６の雌ねじ部３９に螺合可能な雄ねじ部が外周面に形成された筒状の接続部材を竪樋１６の下端部１６ｂに嵌合し、前記接続部材の前記雄ねじ部を水封部材２６の雌ねじ部３９に螺合することにより竪樋１６の下端部１６ｂを前記接続部材を介して水封部材２６に接続することができる。
【００７７】
この場合、例えば、水封部材２６の横断面が円形をなし、竪樋１６の横断面が矩形状のように円形以外の形状をなしている場合でも、竪樋１６の下端部１６ｂに嵌合される部分の横断面形状が竪樋１６の横断面形状と同様の形状になり且つ前記雄ねじ部が形成された部分の横断面形状が円形になるように前記接続部材を形成することにより、横断面形状が互いに異なる竪樋１６と水封部材２６とを互いに前記接続部材を用いて接続することができる。
【００７８】
図１乃至図３に示す例では、竪樋１６の下端部１６ｂと水封部材２６とを互いに接続する接続手段２９，３６が、図１及び図２に示すように、水封部材２６内に挿入された筒体３０と、該筒体を水封部材２６に連結する連結部材３１とを有し、又は、図３に示すように、水封部材２６の周壁２８の上端部２８ｃに形成された嵌合部３７を有する例を示したが、これに代えて、水封部材２６内からの雨水の溢流を妨げることなく水封部材２６を竪樋１６の下端部１６ｂに接続することができる構成であれば、図１乃至図３に示した接続手段２９，３６以外の接続手段を本発明に適用することができる。
【００７９】
また、図１乃至図３に示す例では、本発明に係る雨樋構造１０を住宅１１に適用した例を示したが、これに代えて、住宅１１以外の建物に本発明を適用することができる。
【図面の簡単な説明】
【００８０】
【図１】本発明に係る雨樋構造を概略的に示す側面図である。
【図２】本発明に係る水封部材及び接続手段を概略的に示す斜視図である。
【図３】図１及び図２に示す例とは別の実施例に係る水封部材及び接続手段を概略的に示す斜視図である。
【符号の説明】
【００８１】
１０  雨樋構造
１２  軒先
１４  軒樋
１６  竪樋
２６  水封部材
２８  周壁
２９，３６  接続手段
３０  筒体
３１  連結部材
３４，３９  雌ねじ部
３５，４０  雄ねじ部
３７  嵌合部
３８  流出孔
【図１】
2008291504.tif 000003
【図２】
2008291504.tif 000004
【図３】
2008291504.tif 000005